(57)【要約】【課題】第３者によって無断インストールされた非登録アプリケーションの影響を排除する。【解決手段】アプリケーション検索部１５は、入力部２０から供給された選択信号に基づいてアプリケーション保管部１３に保管されている各種アプリケーションの中から所望アプリケーションを検索して実行アプリケーション記憶部１６に保存し、アプリケーション起動部１７は、この所望アプリケーションに対して起動を開始する。一方、アプリケーション起動認証部１８は、起動が開始された所望アプリケーションに対してイベント信号を供給し、このイベント信号に対する応答信号が前記所望アプリケーションから所定時間内に供給されない場合、当該所望アプリケーションは非登録アプリケーションと認証する。そして、アプリケーション起動部１７は、この認証結果に基づいて所望アプリケーションの起動を強制的に停止させる。【選択図】図１
2009189659.tif 000002
【特許請求の範囲】
【請求項１】
被検体の画像データを収集するとともにこの画像データに基づくデータ処理を予めインストールされたアプリケーションに基づいて行なう医用画像診断装置において、
装置提供者によって登録された登録アプリケーション及び第３者によってインストールされた非登録アプリケーションを保管するアプリケーション保管手段と、
このアプリケーション保管手段にて保管された前記登録アプリケーション及び前記非登録アプリケーションの中から所望アプリケーションを検索するアプリケーション検索手段と、
検索された前記所望アプリケーションを起動するアプリケーション起動手段と、
起動された前記所望アプリケーションに対して登録アプリケーションあるいは非登録アプリケーションの認証を行なうアプリケーション起動認証手段を備え、
前記アプリケーション起動手段は、前記アプリケーション起動認証手段の認証結果に基づいて前記所望アプリケーションの起動を継続あるいは停止することを特徴とする医用画像診断装置。
【請求項２】
前記アプリケーション起動手段は、前記アプリケーション起動認証手段によって前記所望アプリケーションが非登録アプリケーションと認定された場合、前記所望アプリケーションの起動を停止することを特徴とする請求項１記載の医用画像診断装置。
【請求項３】
前記アプリケーション検索手段によって検索された前記所望アプリケーションを保存する実行アプリケーション記憶手段を備え、前記アプリケーション起動手段は、前記アプリケーション起動認証手段によって前記所望アプリケーションが非登録アプリケーションと認定された場合、前記実行アプリケーション記憶手段に保存された前記所望アプリケーションの起動を停止すると共に前記所望アプリケーションを前記実行アプリケーション記憶手段から削除することを特徴とする請求項１記載の医用画像診断装置。
【請求項４】
前記アプリケーション起動認定手段は、前記アプリケーション起動手段によって起動された前記所望アプリケーションに対して供給したイベント信号に対する応答信号が所定時間内に得られなかった場合、前記所望アプリケーションを非登録アプリケーションと認定することを特徴とする請求項１記載の医用画像診断装置。
【請求項５】
前記アプリケーション保管手段において保管された登録アプリケーション及び非登録アプリケーションの各々に対応する複数のアプリケーションアイコンを表示する表示手段と、この表示手段に表示されたアプリケーションアイコンを選択することにより前記登録アプリケーション及び前記非登録アプリケーションの中から前記所望アプリケーションを選択するアプリケーション選択手段を備えたことを特徴とする請求項１記載の医用画像診断装置。
【請求項６】
前記画像データに基づいてデータ処理を行なう画像データ処理手段を備え、前記アプリケーション起動認定手段は、前記アプリケーション起動手段によって起動された前記所望アプリケーションに対して供給したイベント信号に対する応答信号が所定時間内に得られた場合、前記所望アプリケーションを登録アプリケーションと認定し、前記画像データ処理手段は、登録アプリケーションと認定された前記所望アプリケーションに基づいて前記データ処理を行うことを特徴とする請求項１記載の医用画像診断装置。
【発明の詳細な説明】
【技術分野】
【０００１】
本発明は、医用画像診断装置に係り、特に、装置上で動作するソフトウェアの動作可否を制御する機能を有した医用画像診断装置に関する。
【背景技術】
【０００２】
Ｘ線診断装置、Ｘ線ＣＴ装置、ＭＲＩ装置、超音波診断装置等を用いた医用画像診断は、近年、急速な進歩を遂げ、今日の医療において必要不可欠なものとなっている。
【０００３】
医用画像診断装置は、従来、被検体に対する２次元画像データの収集を目的として開発されてきたが、近年におけるデータ処理技術や診断技術の発展に伴なって画像データの収集方法や処理方法が多様化され、更に、得られた画像データに基づいた各種の計測が容易かつ正確に行なわれるようになった。例えば、被検体から収集された２次元画像データあるいは３次元画像データによる心腔内の面積計測や体積計測、更には、これらの時間的変化に基づく心拍出量等の心機能計測が通常の医用診断において広く行なわれている。
【０００４】
このような画像データを用いた各種の処理／計測を行なうために、装置提供者は、これらの処理／計測を可能にするアプリケーションプログラム（以下では、アプリケーションと呼ぶ。）等の専用ソフトウェアを納品前の医用画像診断装置に予めインストールし、更に、臨床ニーズに応じて適時改良あるいは新規開発したアプリケーションを納品後の医用画像診断装置に追加インストールすることにより最新の処理／計測機能を備えた医用画像診断装置の提供を行なっている。
【発明の開示】
【発明が解決しようとする課題】
【０００５】
上述の医用画像診断装置の内部で動作するアプリケーション等のソフトウェアは、通常、汎用基本ソフトウェア（ＯＳ：Operating System）上で汎用基盤技術を用いて開発／作成されている。このような汎用基本ソフトウェアが使用された場合、装置提供者以外の第３者が作成したアプリケーション（以下では、非登録アプリケーションと呼ぶ。）を装置提供者に無断で当該医用画像診断装置にインストールすることが可能となる。そして、第３者によってインストールされた非登録アプリケーションを起動して動作させる際、装置提供者によって予めインストールされたアプリケーション（以下では、登録アプリケーションと呼ぶ。）が前記非登録アプリケーションと連携して動作することにより、登録アプリケーションの破壊あるいはユーザ等に公開していない各種情報の漏洩等が発生する危険性を有している。
【０００６】
本発明は、上述の問題点に鑑みてなされたものであり、その目的は、医用画像診断装置の装置提供者に無断でインストールされたソフトウェアが起動された場合、このソフトウェアの起動あるいは動作を自動的に阻止することにより、装置に予め登録された各種ソフトウェアに対する影響を容易に排除することが可能な医用画像診断装置を提供することにある。
【課題を解決するための手段】
【０００７】
上述の課題を解決するために、請求項１に係る本発明の医用画像診断装置は、被検体の画像データを収集するとともにこの画像データに基づくデータ処理を予めインストールされたアプリケーションに基づいて行なう医用画像診断装置において、装置提供者によって登録された登録アプリケーション及び第３者によってインストールされた非登録アプリケーションを保管するアプリケーション保管手段と、このアプリケーション保管手段にて保管された前記登録アプリケーション及び前記非登録アプリケーションの中から所望アプリケーションを検索するアプリケーション検索手段と、検索された前記所望アプリケーションを起動するアプリケーション起動手段と、起動された前記所望アプリケーションに対して登録アプリケーションあるいは非登録アプリケーションの認証を行なうアプリケーション起動認証手段を備え、前記アプリケーション起動手段は、前記アプリケーション起動認証手段の認証結果に基づいて前記所望アプリケーションの起動を継続あるいは停止することを特徴としている。
【発明の効果】
【０００８】
本発明によれば、医用画像診断装置の装置提供者に無断でインストールされたソフトウェアが起動された場合、このソフトウェアの起動あるいは動作を容易に阻止することができる。このため、医用画像診断装置に予め登録された各種ソフトウェア等に対する影響が排除され、誤動作等を未然に防止することが可能となる。
【発明を実施するための最良の形態】
【０００９】
以下、図面を参照して本発明の実施例を説明する。
【実施例】
【００１０】
以下に述べる本実施例の医用画像診断装置におけるアプリケーション検索部は、入力部から供給された選択信号に基づいてアプリケーション保管部に予め保管された各種アプリケーションの中から所望アプリケーションを検索して実行アプリケーション記憶部に保存し、アプリケーション起動部は、実行アプリケーション記憶部に保存された所望アプリケーションに対して起動を開始する。一方、アプリケーション起動認証部は、起動が開始された所望アプリケーションに対して所定フォーマットで形成されたイベント信号を供給し、このイベント信号に対する応答信号が所望アプリケーションから所定時間内に供給されない場合、当該所望アプリケーションは第３者によって無断でインストールされた非登録アプリケーションであると認証する。そして、前記アプリケーション起動部は、この認証結果に基づいて所望アプリケーションの起動を停止すると共にこの所望アプリケーションを実行アプリケーション記憶部から削除する。
【００１１】
（装置の構成）
本発明の実施例における医用画像診断装置の構成につき図１乃至図５を用いて説明する。尚、図１は、医用画像診断装置の全体構成を示すブロック図であり、図２は、この医用画像診断装置が備える画像データ生成部の具体的な構成を示すブロック図である。
【００１２】
尚、以下の実施例では、Ｘ線画像データの生成を可能とする画像データ生成部について述べるが、これに限定されるものではなく、例えば、Ｘ線ＣＴ画像データ、超音波画像データ、ＭＲＩ画像データ等の画像データを生成する画像データ生成部であっても構わない。
【００１３】
図１に示す医用画像診断装置１００は、被検体に対してＸ線画像データの生成を行なう画像データ生成部１１と、得られた画像データに対し画像処理や各種計測等のデータ処理を登録アプリケーションに基づいて行なう画像データ処理部１２と、医用画像診断装置１００の提供者や予め登録されたソフトウェア提供者（以下では、これらを纏めて装置提供者と呼ぶ。）によってインストールされた各種の登録アプリケーションや登録されていないユーザ等の第３者によってインストールされた非登録アプリケーションを保管するアプリケーション保管部１３と、アプリケーション保管部１３に保管されている各種のアプリケーション（登録アプリケーション及び非登録アプリケーション）に対応した起動設定ファイルを保管する起動設定ファイル保管部１４と、後述の入力部２０から供給されるアプリケーションの選択信号に基づいてアプリケーション保管部１３に保管されている各種のアプリケーションの中から所望のアプリケーションを検索するアプリケーション検索部１５を備えている。
【００１４】
又、医用画像診断装置１００は、アプリケーション検索部１５によって検索されたアプリケーションを保存する実行アプリケーション記憶部１６と、実行アプリケーション記憶部１６に保存されたアプリケーションを起動するアプリケーション起動部１７と、アプリケーション起動部１７によって起動されたアプリケーションを認証するアプリケーション起動認証部１８と、画像データ生成部１１及び画像データ処理部１２によって生成／処理されたＸ線画像データの表示や起動設定ファイル保管部１４に保管された起動設定ファイルのファイル名に対応するアイコン（アプリケーションアイコン）の表示等を行なう表示部１９を備え、更に、被検体情報の入力、画像データ生成／表示条件の設定、アプリケーションの選択、アプリケーションインストールに対する指示信号の入力、各種コマンド信号の入力等を行なう入力部２０と、ネットワーク２２あるいは図示しない記憶媒体を介して供給されるアプリケーションをアプリケーション保管部１３に保存する外部インターフェース（外部ＩＦ）２１と、医用画像診断装置１００が備える上述の各ユニットを統括的に制御するシステム制御部２３を備えている。
【００１５】
そして、Ｘ線画像データの生成を行なう画像データ生成部１１は、例えば、図２に示すように、被検体１５０に対してＸ線を照射するＸ線発生部１１１と、被検体１５０を透過したＸ線を２次元的に検出すると共に、この検出データに基づいてＸ線投影データを生成するＸ線検出部１１２と、Ｘ線発生部１１１とＸ線検出部１１２を保持する図示しない支持アームと、被検体１５０を載置する天板１１３と、前記支持アーム及び天板１１３を所定方向に移動させる図示しない移動機構部と、Ｘ線投影データに基づいてＸ線画像データを生成する投影データ記憶部１１４とを有している。
【００１６】
Ｘ線発生部１１１は、被検体１５０に対しＸ線を照射するＸ線管１１７と、このＸ線管１１７におけるＸ線照射に必要な高電圧を発生する高電圧発生器１１６と、図示しないＸ線絞り器とを備えている。Ｘ線管１１７は、Ｘ線を発生する真空管であり、陰極（フィラメント）より放出された電子を高電圧によって加速させてタングステン陽極に衝突させＸ線を発生する。一方、前記Ｘ線絞り器は、Ｘ線管１１７と被検体１５０の間に位置し、Ｘ線管１１７から照射されたＸ線ビームを所定の照射視野のサイズに絞り込む機能を有している。
【００１７】
Ｘ線検出部１１２は、被検体１５０を透過したＸ線を電荷に変換して蓄積する平面検出器１１８と、平面検出器１１８に蓄積された電荷をＸ線信号として読み出すための図示しないゲートドライバと、読み出された電荷からＸ線投影データを生成する投影データ生成部１１９とを備えている。そして、投影データ生成部１１９は、平面検出器１１８から読み出された電荷を電圧に変換する多チャンネルの電荷・電圧変換器と、この電荷・電圧変換器の出力をデジタル信号に変換するＡ／Ｄ変換器と、多チャンネルのＡ／Ｄ変換器からパラレル出力されたＸ線投影データをシリアル信号に変換するパラレル・シリアル変換器（何れも図示せず。）を有している。
【００１８】
一方、投影データ記憶部１１４は、図示しない記憶回路を備え、投影データ生成部１１９から時系列的に供給されるＸ線投影データを前記記憶回路に順次保存して２次元のＸ線画像データを生成する。
【００１９】
図１へ戻って、画像データ処理部１２は、図示しない演算回路と記憶回路を備え、前記記憶回路には、画像データ生成部１１の投影データ記憶部１１４から供給されるＸ線画像データが一旦保存される。一方、前記演算回路は、前記記憶回路から読み出したＸ線画像データに対し輪郭強調等の画像処理、ＤＳＡ画像データや３次元画像データ等を生成するための演算処理、更には、各種の計測等を必要に応じて行なう。
【００２０】
一方、アプリケーション保管部１３には、装置の製造過程で予め登録されたアプリケーションや装置提供者によって新たにインストールされたアプリケーション（以上登録アプリケーション）、更には、第３者により外部ＩＦ２１を介してインストールされたアプリケーション（非登録アプリケーション）が所定の記憶領域に保管されている。但し、上述の登録アプリケーションには、アプリケーション起動認証部１８から供給されるイベント信号に対応した応答信号を所定時間内に発生するプログラムが組み込まれている。
【００２１】
図３は、アプリケーション保管部１３に保管されているアプリケーションを模式的に示したものであり、例えば、アプリケーション保管部１３が有する記憶領域のアドレス「００００１２１」乃至「００００１２４」には、装置提供者によってインストールされた登録アプリケーション「ＡＡ」乃至「ＤＤ」が保管され、アドレス「００００１２５」には、第３者によってインストールされた非登録アプリケーション「ＥＸ」が保管されている。
【００２２】
次に、図１に示した起動設定ファイル保管部１４には、アプリケーション保管部１３の所定記憶領域に保管された登録アプリケーション及び非登録アプリケーションに対応する起動設定ファイルが保管されている。図４は、起動設定ファイル保管部１４に保管されている起動設定ファイルの具体例を模式的に示したものであり、例えば、この起動設定ファイルは、アプリケーション保管部１３に保管されている登録アプリケーション「ＡＡ」乃至「ＤＤ」及び非登録アプリケーション「ＥＸ」の各々に対応したファイル名「ＦＡＡ」乃至「ＦＤＤ」及びファイル名「ＦＥＸ」の情報とこれらのアプリケーションが保管されている記憶領域のアドレス「００００１２１」乃至「００００１２４」及びアドレス「００００１２５」の情報によって構成されている。
【００２３】
再び、図１へ戻って、アプリケーション検索部１５は、入力部２０から供給されるアプリケーション（以下では、所望アプリケーションと呼ぶ。）の選択信号に基づいて起動設定ファイル保管部１４に保管されている起動設定ファイルの中から所望アプリケーションに対応したファイル名とこの所望アプリケーションが保管されているアプリケーション保管部１３のアドレス情報を検索し、このアドレス情報に基づいてアプリケーション保管部１３に保管されている所望アプリケーションを検索する。そして、検索した所望アプリケーションを読み出して実行アプリケーション記憶部１６に保存する。
【００２４】
アプリケーション起動部１７は、アプリケーション検索部１５から供給される所望アプリケーションの検索終了信号をアプリケーション起動認証部１８へ供給すると共に、実行アプリケーション記憶部１６に保存されている所望アプリケーションの起動を開始する。
【００２５】
一方、アプリケーション起動認証部１８は、予め設定された手順に従ってアプリケーションの起動認証を行なう機能を有し、例えば、アプリケーション起動部１７から供給される上述の検索終了信号に基づいて所定のフォーマットで形成されたイベント信号を起動が開始された実行アプリケーション記憶部１６の所望アプリケーションへ供給する。そして、所望アプリケーションを有する実行アプリケーション記憶部１６から前記イベント信号に対する応答信号が所定時間内に供給されるか否かによって当該所望アプリケーションに対する起動認証を行なう。
【００２６】
例えば、実行アプリケーション記憶部１６からの応答信号を所定時間内に受信することによって所望アプリケーションが登録アプリケーションであると認証した場合、この認証結果をアプリケーション起動認証部１８から受信したアプリケーション起動部１７は、実行アプリケーション記憶部１６に保存された所望アプリケーションに対する起動を継続し、この所望アプリケーションに基づいてＸ線画像データに対する画像処理や各種計測を行なう。
【００２７】
一方、実行アプリケーション記憶部１６からの応答信号を所定時間内に受信されずに所望アプリケーションが非登録アプリケーションであると認証した場合、この認証結果をアプリケーション起動認証部１８から受信したアプリケーション起動部１７は、実行アプリケーション記憶部１６に保存された所望アプリケーションに対する起動を停止すると共にこの所望アプリケーションを実行アプリケーション記憶部１６から削除する。
【００２８】
次に、表示部１９は、図示しない表示データ生成部とモニタを備え、画像データ生成部１１及び画像データ処理部１２によって生成／処理されたＸ線画像データを表示する機能と、起動設定ファイル保管部１４に保存された起動設定ファイルのファイル名に対応する複数のアプリケーションアイコンを表示する機能を有している。
【００２９】
図５は、表示部１９のモニタに表示されるアプリケーションアイコンの具体例を示したものであり、例えば、図４に示した起動設定ファイルのファイル名「ＦＡＡ」乃至「ＦＥＸ」の情報を起動設定ファイル保管部１４から受信した表示部１９の表示データ生成部は、これらの情報に基づくアプリケーションアイコン「ＡＡＡ」乃至「ＡＥＸ」が配列された表示データを生成して前記モニタに表示する。
【００３０】
更に、前記表示データ生成部は、画像データ生成部１１あるいは画像データ処理部１２から供給されるＸ線画像データを所定フォーマットに変換し、更に、被検体情報等を付加して生成した表示データを前記モニタに表示する。
【００３１】
次に、入力部２０は、操作パネル上にキーボード、トラックボール、マウス、選択ボタン、入力ボタン等の入力デバイスと表示パネルを備え、表示部１９に表示された複数のアプリケーションアイコン（図５参照）の中から所望アプリケーションに対応したアプリケーションアイコンを選択することにより所望アプリケーションの選択を行なうアプリケーション選択部２０１と、外部ＩＦ２１に接続されたネットワーク２２あるいは記憶媒体を介してアプリケーションをインストールする際の指示信号を入力する指示信号入力部２０２を有している。又、被検体情報の入力、画像データ生成／表示条件の設定、更には、各種コマンド信号の入力等も上述の表示パネルや入力デバイスを用いて行なわれる。
【００３２】
システム制御部２３は、図示しないＣＰＵと記憶回路を備え、前記記憶回路には、入力部２０にて入力／設定された上述の各種情報が保存される。そして、前記ＣＰＵは、上述の入力情報、設定情報及び選択情報に基づいて医用画像診断装置１００の各ユニットを制御し、画像データの生成及び表示、登録アプリケーションによるデータ処理、更には、第３者によってインストールされた非登録アプリケーションの起動停止と実行アプリケーション記憶部１６からの削除を行なう。
【００３３】
（非登録アプリケーションの起動停止及び削除の手順）
次に、第３者によって医用画像診断装置１００にインストールされた非登録アプリケーションの起動停止及び削除の手順につき図６のフローチャートを用いて説明する。尚、ここでは、第３者によってインストールされた非登録アプリケーションを含む複数のアプリケーションの中から選択された所望アプリケーションに対して起動認証を行なう場合について述べる。
【００３４】
Ｘ線画像データの収集に先立ち第３者である医用画像診断装置１００の操作者は、入力部２０に備えられた指示信号入力部２０２にて非登録アプリケーション（例えば、非登録アプリケーションＥＸ）をインストールするための指示信号を入力する。そして、この指示信号を受信したシステム制御部２３は、外部ＩＦ２１に接続されたネットワーク２２あるいは記憶媒体を介して供給される非登録アプリケーションＥＸをアプリケーション保管部１３の所定記憶領域に保存し、更に、この非登録アプリケーションＥＸに対応するファイル名「ＦＥＸ」と前記所定記憶領域のアドレス情報「００００１２５」を起動設定ファイル保管部１４の起動設定ファイルに保存する。
【００３５】
即ち、アプリケーション保管部１３には、例えば、図３に示したように、装置の製造過程で登録された登録アプリケーション及び装置提供者によって新たにインストールされた登録アプリケーション「ＡＡ」乃至「ＤＤ」と、第３者によってインストールされた非登録アプリケーション「ＥＸ」が所定の記憶領域に保管され、起動設定ファイル保管部１４には、図４に示したように、上述の登録アプリケーション「ＡＡ」乃至「ＤＤ」に対応したファイル名「ＦＡＡ」乃至「ＦＤＤ」及び非登録アプリケーション「ＥＸ」に対応したファイル名「ＦＥＸ」とこれらのアプリケーションが保管されているアプリケーション保管部１３における記憶領域のアドレス情報「００００１２１」乃至「００００１２４」及び「００００１２５」が保管される（図６のステップＳ１）。
【００３６】
このとき、表示部１９には、起動設定ファイル保管部１４から供給された起動設定ファイルのファイル名「ＦＡＡ」乃至「ＦＥＸ」の情報に基づいて形成されたアプリケーション「ＡＡ」乃至「ＥＸ」の各々に対応するアプリケーションアイコン「ＡＡＡ」乃至「ＡＥＸ」が一覧表示される（図６のステップＳ２）。
【００３７】
装置提供者によって登録された登録アプリケーション及び第３者によってインストールされた非登録アプリケーションの保管とこれらのアプリケーションに対応するアプリケーションアイコンの表示が完了したならば、医用画像診断装置１００の操作者は、被検体情報の入力、画像データ生成／表示条件の設定、天板１１３に対する被検体の載置等を行なった後、入力部２０より撮影開始コマンドを入力する。そして、このコマンド信号がシステム制御部２３に供給されることによりＸ線画像データの生成が開始される。
【００３８】
Ｘ線画像データの生成に際し、図２に示した画像データ生成部１１の高電圧発生器１１６は、入力部２０からシステム制御部２３を介して供給される撮影開始のコマンド信号を受信し、既に設定されている画像データ生成条件のＸ線照射条件に基づき高電圧をＸ線管１１７に印加して被検体１５０にＸ線を照射する。そして、被検体１５０を透過したＸ線は、その後方に設けられたＸ線検出部１１２の平面検出器１１８によって検出される。
【００３９】
平面検出器１１８が備えた２次元検出素子の各々に照射されるＸ線量に応じて発生した電荷は、図示しないゲートドライバの出力パルスによって順次読み出される。そして、投影データ生成部１１９は、前記ゲートドライバによって読み出された電荷に対し電荷・電圧変換、Ａ／Ｄ変換、パラレル・シリアル変換等を行なって時系列的なＸ線投影データを生成し、得られたＸ線投影データは、投影データ記憶部１１４に順次保存されてＸ線画像データが生成される。（図６のステップＳ３）。
【００４０】
Ｘ線画像データの生成が終了したならば、操作者は、得られたＸ線画像データに対し所定のデータ処理（即ち、Ｘ線画像データに対する画像処理や各種計測）を行なうために、表示部１９のモニタに表示された複数のアプリケーションアイコンの中から所望アプリケーションに対応するアプリケーションアイコンを入力部２０のアプリケーション選択部２０１を用いて選択する（図６のステップＳ４）。
【００４１】
一方、アプリケーション検索部１５は、アプリケーション選択部２０１から供給された選択信号に基づいて起動設定ファイル保管部１４に保管されている起動設定ファイルの中から所望アプリケーションに対応するファイル名とこの所望アプリケーションが保管されているアプリケーション保管部１３のアドレス情報を検索し、このアドレス情報に基づいてアプリケーション保管部１３に保管されている所望アプリケーションを検索する。そして、検索した所望アプリケーションを読み出して実行アプリケーション記憶部１６に保存する（図６のステップＳ５）。
【００４２】
次いで、アプリケーション起動部１７は、アプリケーション検索部１５から供給された所望アプリケーションの検索終了信号をアプリケーション起動認証部１８へ供給すると共に、実行アプリケーション記憶部１６に保存された所望アプリケーションの起動を開始する（図６のステップＳ６）。
【００４３】
一方、アプリケーション起動認証部１８は、アプリケーション起動部１７から供給された上述の検索終了信号に基づき、所定フォーマットで形成されたイベント信号を実行アプリケーション記憶部１６に保存された所望アプリケーションへ供給する。そして、このイベント信号に対する応答信号が実行アプリケーション記憶部１６の所望アプリケーションから所定時間内に供給されるか否かによって当該所望アプリケーションに対する起動認証を行なう（図６のステップＳ７）。
【００４４】
上述のステップＳ７において、実行アプリケーション記憶部１６からの応答信号を所定時間内に受信した場合（即ち、当該所望アプリケーションが装置提供者によってインストールされた登録アプリケーションであると認証された場合）、アプリケーション起動部１７は、実行アプリケーション記憶部１６の所望アプリケーションに対する起動を継続して行ない、この所望アプリケーションに基づいたデータ処理や各種の計測を行なう（図６のステップＳ８）。
【００４５】
一方、イベント信号に対する応答信号が実行アプリケーション記憶部１６から所定時間内に供給されなかった場合（即ち、当該所望アプリケーションが第３者によってインストールされた非登録アプリケーションであると認証された場合）、アプリケーション起動部１７は、実行アプリケーション記憶部１６に保存された所望アプリケーションに対する起動を停止すると共にこの所望アプリケーションを実行アプリケーション記憶部１６から削除する（図６のステップＳ９）。
【００４６】
以上述べた本発明の実施例によれば、医用画像診断装置の装置提供者に無断でインストールされた非登録アプリケーションが起動された場合、この非登録アプリケーションの起動あるいは動作を容易に阻止することができる。このため、前記装置提供者によって予めインストールされた登録アプリケーションに対する影響が排除され、誤動作や未公開情報の漏洩等を未然に防止することが可能となる。
【００４７】
又、上述の実施例によれば、装置提供者によってインストールされる登録アプリケーションには、アプリケーション起動認証部から供給されるイベント信号に対応した応答信号を所定時間内に発生するプログラムが予め組み込まれ、この応答信号に基づいて登録アプリケーションの認証が行なわれるため、認証を容易かつ確実に行なうことができる。
【００４８】
更に、認証されなかった非登録アプリケーションは、その起動が停止されるのみならず実行アプリケーション記憶部から強制的に削除されるため、装置提供者によって予め登録された登録アプリケーションが第３者によって破壊されるリスクは大幅に低減する。
【００４９】
以上、本発明の実施例について述べてきたが、本発明は上述の実施例に限定されるものではなく、変形して実施することが可能である。例えば、上述の実施例では、Ｘ線画像データに対する画像処理や各種計測を目的としたアプリケーションについて述べたが、他の機能を有した専用アプリケーションあるいは汎用アプリケーションであってもよい。
【００５０】
又、アプリケーション起動認証部１８によって当該所望アプリケーションが非登録アプリケーションであると認証された場合、この所望アプリケーションを実行アプリケーション記憶部１６及びアプリケーション保管部１３から削除してもよい。この方法によれば、第３者によってインストールされた非登録アプリケーションが医用画像診断装置１００から完全に削除されるため、非登録アプリケーションによって登録アプリケーションが破壊されるリスクを更に低減させることができる。
【００５１】
一方、上述の実施例では、Ｘ線画像データの生成を可能とする画像データ生成部１１について述べたが、Ｘ線ＣＴ画像データ、超音波画像データ、ＭＲＩ画像データ等の画像データを生成する画像データ生成部であっても構わない。
【図面の簡単な説明】
【００５２】
【図１】本発明の実施例における医用画像診断装置の全体構成を示すブロック図。
【図２】同実施例の医用画像診断装置が備える画像データ生成部の具体的な構成を示すブロック図。
【図３】同実施例のアプリケーション保管部に保管されているアプリケーションを模式的に示す図。
【図４】同実施例の起動設定ファイル保管部に保管されている起動設定ファイルの具体例を模式的に示す図。
【図５】同実施例の表示部に表示されるアプリケーションアイコンの具体例を示す図。
【図６】同実施例における非登録アプリケーションの起動停止及び削除の手順を示すフローチャート。
【符号の説明】
【００５３】
１１…画像データ生成部
１１１…Ｘ線発生部
１１２…Ｘ線検出部
１１３…天板
１１４…投影データ記憶部
１１６…高電圧発生器
１１７…Ｘ線管
１１８…平面検出器
１１９…投影データ生成部
１２…画像データ処理部
１３…アプリケーション保管部
１４…起動設定ファイル保管部
１５…アプリケーション検索部
１６…実行アプリケーション記憶部
１７…アプリケーション起動部
１８…アプリケーション起動認証部
１９…表示部
２０…入力部
２０１…アプリケーション選択部
２０２…指示信号入力部
２１…外部インターフェース（外部ＩＦ）
２２…ネットワーク
２３…システム制御部
１００…医用画像診断装置
【図１】
2009189659.tif 000003
【図２】
2009189659.tif 000004
【図３】
2009189659.tif 000005
【図４】
2009189659.tif 000006
【図５】
2009189659.tif 000007
【図６】
2009189659.tif 000008